(57)【特許請求の範囲】
【請求項１】
ガス放出ノズルに燃料ガスを送気する燃料ガス放出弁を持つ燃料槽と、前記燃料ガス放出弁を開駆動するガス放出レバーと、前記ガス放出ノズルからその上方に出る燃料ガスを点火する圧電ユニットと、指によって回動駆動されて前記ガス放出レバーをガス放出弁を開く方向に駆動し前記圧電ユニットを駆動する回動蓋と、を備えるガスライタにおいて、
使用者が前記回動蓋を開くための力を加える前記回動蓋の指当部の下方に上端があって前記回動蓋の側面より突出し、下端である係合部が前記回動蓋で閉じられた本体開口の内方に突出し、前記上端と前記係合部との間のピンを中心に回動するように前記回動蓋に枢着され、前記突出した上端を使用者が前記回動蓋の指当部の下方に押し込むアンロック操作により前記回動蓋の点火方向の回動とは逆方向にアンロック回動して前記係合部が前記本体開口から退出するロック部材と、前記アンロック回動の方向とは逆のロック回動方向に前記ロック部材を回動強制する弾力部材と、を備えたことを特徴とするガスライタ。
【請求項２】
前記ロック部材は、前記回動蓋にピンを中心に回動可能に保持され、前記弾力部材は一端が回動蓋で他端がロック部材で支えられた圧縮コイルスプリングであってロック部材に回動蓋の点火方向の回動と同方向の反発力を与える、請求項１に記載のガスライタ。
【請求項３】
前記ロック部材の前記係合部が前記本体開口の内方に突出したロック位置にあるまま前記回動蓋が点火方向に回動駆動されるときは該係合部が前記本体開口の縁に当たって該回動を阻止し、前記ロック部材の前記係合部が前記本体開口の外部に退出したアンロック位置にあるときは前記回動蓋の点火方向の回動が可能である、請求項１又は２に記載のガスライタ。
【発明の詳細な説明】
【技術分野】
【０００１】
本発明は、手持ちガスライタに関し、特に、人（例えば子供）が着火操作子を安易にいじることによるガス燃焼炎の発生を防止する機構を備える、いわゆる安全ガスライタ、に関する。本発明は、紙巻タバコ，葉巻などに火をつけるガスライタ（ポケットライタ）および燭台，薪，焚火の火付け材等に火をつけるガスライタ（着火具）に実施することができる。
【背景技術】
【０００２】
この種のガスライタの着火操作子は多様である。例えば着火操作子が、フリント発火機構周りあるいは放電火花により燃料ガスを点火する電極周りを覆うケース蓋の場合は、人がこのケース蓋を開くことにより、まずガス放出レバーが弁開方向に駆動されて燃料タンクのガス放出弁が開き、そしてフリント火花または電気火花（スパーク）がガスを点火する。また、着火操作子が押ボタン又はスライドボタンの場合は、人がこの押ボタンを押し下げる又は横スライドすることにより、ガス放出レバーが弁開方向に駆動されて燃料タンクのガス放出弁が開き、そして電気火花がガスを点火する（例えば特許文献１）。
【先行技術文献】
【特許文献】
【０００３】
【特許文献１】特開２００４−１１６８４９号公報
【発明の概要】
【発明が解決しようとする課題】
【０００４】
幼児あるいは年少者が、父親など身近な人のガスライタ使用を真似してガスライタをいじって、思わぬガス燃焼炎の発生により、やけどをしあるいは火災を発生することがある。このような事故を防ぐために、着火操作子が単純操作では着火移動しないように、ロック機構を設けることが推奨されている。特許文献１のガスライタは、押ボタンロック機構を備えて、押ボタンを横スライド（アンロック操作）することにより押ボタンをアンロック位置にしてからでないと、着火のための押下（着火操作）ができないようにしている。すなわち、縦押し込みにより圧電ユニットの摺動子を押し下げるとともに弁操作レバーの自由端を押し下げる着火操作子に、横方向に摺動可能なロックスライダ（押しボタン）を備える。ロックスライダを右駆動するとライタ本体側の突起からロックスライダが外れて降下可となり、ロックスライダを押し下げると着火操作子が押し下げられて、ノズルから燃料ガスが噴出し圧電ユニットが高電圧を発生しこれによって発生するスパークによって燃料ガスが着火する。
【０００５】
ところで、特許文献１の押ボタンロック機構はロックスライダを右駆動することによりロックが外れ続いて押し下げることにより炎を生じる。すなわちロックスライダの横右方向駆動と縦方向押下により炎を発生することができる。ロック解除のための駆動と炎を発生するための駆動が直交方向である。したがってこの押ボタンロック機構を、回動蓋の時計方向の回動によって圧電ユニットの摺動子を押し下げるとともに弁操作レバーの自由端を押し下げるガスライタに適用しようとしても、回動が横右方向移動と縦方向移動を含むのでロックスライダは回動操作によりロック解除となり、着火操作（回動駆動）に対してロック機能が脆弱になる。
【０００６】
本発明は、回動蓋の回動によって圧電ユニットの摺動子を押し下げるとともに弁操作レバーを駆動するガスライタに、回動ロック機構を備えることを目的とする。
【課題を解決するための手段】
【０００７】
（１）ガス放出ノズル(1)に燃料ガスを送気する燃料ガス放出弁を持つ燃料槽と、前記燃料ガス放出弁を開駆動するガス放出レバーと、前記ガス放出ノズル(1)からその上方に出る燃料ガスを点火する圧電ユニット(5)と、指によって回動駆動されて前記ガス放出レバーをガス放出弁を開く方向に駆動し前記圧電ユニット(5)を駆動する回動蓋(6)と、を備えるガスライタにおいて、
使用者が前記回動蓋(6)を開くための力を加える前記回動蓋(6)の指当部の下方に上端(7b)があって前記回動蓋(6)の側面より突出し、下端である係合部(7c)が前記回動蓋(6)で閉じられた本体開口の内方に突出し、前記上端(7b)と前記係合部(7c)との間のピン(7a)を中心に回動するように前記回動蓋(6)に枢着され、前記突出した上端(7b)を使用者が前記回動蓋(6)の指当部の下方に押し込むアンロック操作により前記回動蓋(6)の点火方向の回動とは逆方向にアンロック回動して前記係合部(7c)が前記本体開口から退出するロック部材(7)と、前記アンロック回動の方向とは逆のロック回動方向に前記ロック部材(7)を回動強制する弾力部材(8)と、を備えたことを特徴とするガスライタ。
【０００８】
なお、理解を容易にするために括弧内には、図面に示し後述する実施例の対応要素又は相当要素の記号を、例示として参考までに付記した。以下も同様である。
【発明の効果】
【０００９】
使用者が、前記ロック部材(7)を、前記弾力部材(8)の回動強制力に抗して、前記回動蓋(6)の点火方向の回動とは逆方向に回動駆動すると、該ロック部材(7)の係合部(7c)が、ロック位置からアンロック位置に変位する（図３）。この状態を維持して回動蓋(6)を点火方向に回動駆動すると、燃料ガス放出弁が開かれ圧電ユニット(5)が駆動される。これにより、ノズル(1)から噴出する燃料ガスが着火し燃焼炎(10)が発生する（図４）。使用者が回動蓋(6)から指を離すと、回動蓋(6)が圧電ユニット内部のコイルばねの反発力で上駆動されて逆方向に回動し本体の上開口を塞ぐ（図１）。
【００１０】
人（例えば幼児又は年少者）が、ロック部材(7)を回動蓋(6)の点火方向の回動とは逆方向に回動駆動することなく、回動蓋(6)を点火方向に回動駆動しようとしても、ロック部材(7)の係合部(7c)がロック位置にあるので、回動蓋(6)を開くことができない（図２）。すなわちロック部材(8)がロック位置にあるので、回動蓋(6)は回動せず、炎は発生しない。したがって不用意な操作に対する安全性が高い。
【図面の簡単な説明】
【００１１】
【図１】本発明の１実施例のガスライタの、非使用状態を示す縦断面図である。
【図２】図１に示すガスライタの、ロック部材(7)をロック位置としたまま回動蓋(6)を回動駆動しようとした状態を示す縦断面図である。
【図３】図１に示すガスライタの、ロック部材(7)をアンロック位置として回動蓋(6)を回動駆動し始めた状態を示す縦断面図である。
【図４】図３に示す状態から更に回動蓋(6)を回動駆動して炎１０を発生させた状態を示す縦断面図である。
【発明を実施するための形態】
【００１２】
（２）前記ロック部材(7)は、前記回動蓋(6)にピン(7a)を中心に回動可能に保持され、前記弾力部材(8)は一端が回動蓋(6)で他端がロック部材(7)で支えられた圧縮コイルスプリングであってロック部材(7)に回動蓋(6)の点火方向の回動と同方向の反発力を与える、上記（１）に記載のガスライタ。
【００１３】
（３）前記ロック部材(7)の前記係合部(7c)が前記本体開口の内方に突出したロック位置にあるまま前記回動蓋(6)が点火方向に回動駆動されるときは該係合部(7c)が前記本体開口の縁に当たって該回動を阻止し、前記ロック部材(7)の前記係合部(7c)が前記本体開口の外部に退出したアンロック位置にあるときは前記回動蓋(6)の点火方向の回動が可能である、上記（１）又は（２）に記載のガスライタ。
【００１４】
本発明の他の目的および特徴は、図面を参照した以下の実施例の説明より明らかになろう。
【実施例】
【００１５】
図１に示す本発明の１実施例のガスライタには、本体ケースのした部分に図示を省略した液化燃料槽があり、その内部には、第１ノズル（図示略）に燃焼ガスを送気する常閉弁である燃料ガス放出弁があり、第１ノズルが上方に引き上げられると、燃料ガス放出弁が弁開となって、液化燃料槽内にある液化燃料の一部が気化して第１ノズルから出る。第１ノズルには、可撓性，弾力性がある絶縁体チューブ９を介して第２ノズル１がつながっている。上枠４および操作子であり回動蓋である上蓋６は、ピン６ａで、液化燃料槽から起立した支幹に、一体に連結されている。第２ノズル１は金属製の上枠４に固定されている。圧電ユニット５の一対の高電圧出力端の一方に上枠４が電気的に接続され、第２ノズル１が、上枠４に固定されているので該高電圧出力端の一方と同電位である。該高電圧出力端の他方に接続した電気リードの先端が放電電極でありノズル１の先端縁に対向している。圧電ユニット５が高電圧を発生すると、放電電極／ノズル１間に電気火花（放電スパーク）が発生する。
【００１６】
当て金１１の下端の降下によって時計回りに回動する図示を省略したガス放出レバーの先端が前述の第１ノズル（図示略）の下端に係合しており、ガス放出レバーの、くの字形の跳ね上がりの尾端を、時計方向に廻すことにより、ガス放出レバーの尾端がてこの原理で回動して、ガス放出レバーの先端が第１ノズルを上方に押し上げ、これにより液化燃料槽内の燃料ガス放出弁が開き、液化燃料槽内の液化燃料が気化して第１ノズル，絶縁体チューブ９および第２ノズル１を通って外気に流出する。
【００１７】
圧電ユニット５の頭部のスライダを上蓋６の支幹６ｄが押し下げると、該スライダを跨いでいるコ字型の当て金１１も同時に押し下げられ、該スライダがある程度降下すると当て金１１がガス放出レバーを時計回りに回動駆動するので、液化燃料槽の燃料ガス放出弁が開いて、第２ノズルからその外部（チューブ９）に燃料ガスが流出する。更にスライダが降下すると、圧電ユニット５内において、圧電素子がプランジャで打撃されて高電圧を発生し、放電電極／ノズル１間に該高電圧が加わって、放電電極／ノズル１間に電気火花が発生し、ノズル１から流出している燃料ガスが該電気火花で点火され、第２ノズル１の上方に、ローソクの炎のような炎（図４の１０）が立ち上がる。
【００１８】
上蓋６には、安全機構が装着されている。該安全機構は本実施例では、ロック部材７，圧縮コイルスプリング８および本体にある上枠４に設けたロック係止部４ａで構成されている。ロック部材７は、上蓋６の右端側にピン７ａで回動可能に枢着されその上端７ｂが上蓋６の右側面より外に露出している。圧縮コイルスプリング８の反発力でロック部材７が、上蓋の点火回動方向と同じ時計方向に回動している状態（図１）では、ロック部材７の下端脚である係合部７ｃは、本体の上枠４の上開口縁（斜辺）よりも本体内部側に進入しているロック姿勢であるので、上蓋６の点火のための回動（時計方向）は、係合部７ｃがロック係止部４ａに当たる回動角と止まる（図２）。すなわち阻止される。これがロック状態である（図１，図２）。
【００１９】
ロック状態（図１）で使用者がロック部材７の上端７ｂを上蓋６の内方に押し込むと、すなわちロック部材７を反時計方向に廻すと、これによってロック部材６のロック係合部７ｃが、上枠４の上開口縁（斜辺）よりも上側に退避して（図３）、上蓋６が時計方向に回動可となる。これがアンロック状態である。
【００２０】
使用者が上記アンロック状態で上蓋６を時計方向に回動させると、燃料ガス放出弁が開かれ圧電ユニット５が駆動される。これにより、ノズル１から噴出する燃料ガスが着火して、燃焼炎１０がノズル１の上方に発生する（図４）。使用者が上蓋６から指を離すと、上蓋６が圧電ユニット内部のコイルばねの反発力で上駆動されて反時計方向に回動し本体の上開口を塞ぐ。ロック部材７はロック位置に戻る（図１）。
【００２１】
人例えば幼児又は年少者が、上蓋６を点火方向である時計方向に廻そうとしても、ロック部材７の係合部７ｃが本体のロック係止部４ｃに当たって上蓋６の回動が阻止され、上蓋６は開かない。したがって不用意な操作に対する安全性が高い。
【符号の説明】
【００２２】
１：ノズル
４：上枠
５：圧電ユニット
６：上蓋
６ａ：ピン
６ｂ：支幹
６ｃ：ばね受け部
６ｄ：支幹
７：ロック部材
７ａ：ピン
７ｂ：上端
７ｃ：係合部
８：圧縮コイルスプリング
９：チューブ
１０：燃焼ガス炎
【図１】
0005164186.tif 000002
【図２】
0005164186.tif 000003
【図３】
0005164186.tif 000004
【図４】
0005164186.tif 000005